(57)【特許請求の範囲】
【請求項１】
床暖房に空気調和による暖房運転を併用可能な空気調和機の制御方法であって、
空気調和による暖房運転の立ち上げ時、室内に吹き出す風量を所定の大風量にするステップ(Ｓ１)と、
上記室内に吹き出す風量を所定の大風量にするステップの後、室内温度が所定温度以上になると、床暖房運転中か否かを判別するステップ(Ｓ２)と、
上記床暖房運転中か否かを判別するステップで床暖房運転中でないと判別すると、上記室内に吹き出す風量を、空気調和による暖房運転が単独で行われるときの所定の小風量にするステップ(Ｓ６)と、
上記床暖房運転中か否かを判別するステップで床暖房運転中であると判別すると、上記室内に吹き出す風量を上記所定の小風量よりもさらに小さくするステップ(Ｓ３)とを有することを特徴とする空気調和機の制御方法。
【請求項２】
請求項１に記載の空気調和機の制御方法において、
上記床暖房運転中か否かを判別するステップで床暖房運転中であると判別すると、室内に吹き出す風向を制御するために設けられたフラップによって室内の居住者に直接風が当たらない方向に吹き出しの風向を向けるステップ(Ｓ４)を有することを特徴とする空気調和機の制御方法。
【請求項３】
床暖房に空気調和による暖房運転を併用可能な空気調和機の制御方法であって、
空気調和による暖房運転の立ち上げ時、室内に吹き出す風量を所定の大風量にするステップと、
上記室内に吹き出す風量を所定の大風量にするステップの後、室内温度が所定温度以上になると、上記室内に吹き出す風量を、空気調和による暖房運転が単独で行われるときの所定の小風量にするステップと、
上記室内に吹き出す風量を所定の大風量にするステップの後、室内温度が所定温度以上になると、床暖房運転中か否かを判別するステップと、
上記床暖房運転中か否かを判別するステップで床暖房運転中であると判別すると、上記室内に吹き出す風量を上記所定の小風量よりもさらに小さくするステップと、
上記床暖房運転中か否かを判別するステップで床暖房運転中であると判別すると、室内に吹き出す風向を制御するために設けられたフラップによって室内の居住者に直接当たらない水平方向に吹き出しの風向を向けるステップとを有することを特徴とする空気調和機の制御方法。
【発明の詳細な説明】
【０００１】
【発明の属する技術分野】
この発明は、床暖房に空気調和による暖房運転を併用可能な空気調和機の制御方法に関する。
【０００２】
【従来の技術】
従来より、空気調和機としては、圧縮機,凝縮器としての温水熱交換器,電動膨張弁および蒸発器が環状に接続された冷媒回路と、上記温水熱交換器を介して循環ポンプにより温水が循環する床暖房パネルとを備えたものがある。この空気調和機は、ヒートポンプにより温水熱交換器で温水を加熱し、その加熱された温水は、温水熱交換器を介して循環ポンプにより床暖房パネルを循環する。また、この空気調和機は、上記凝縮器として温水熱交換器以外に室内ユニットに室外熱交換器を備え、その室内ユニットの空気調和による暖房運転を床暖房の補助として行う。
【０００３】
【発明が解決しようとする課題】
しかしながら、上記空気調和機の制御方法では、室内ユニットの空気調和による暖房運転において大きな暖房能力が必要な立ち上げ時間が終わった後も、室内ユニットから吹き出す風が室内の居住者に当たってドラフト感を感じたり、室内ファンの送風音がしたりして、ドラフト感がなく静かであるという床暖房本来の快適性が損なわれるという欠点がある。
【０００４】
そこで、この発明の目的は、床暖房時に空気調和による暖房を併用しても、快適性が損なわれない空気調和機の制御方法を提供することにある。
【０００５】
【課題を解決するための手段】
上記目的を達成するため、請求項１の空気調和機の制御方法は、床暖房に空気調和による暖房運転を併用可能な空気調和機の制御方法であって、空気調和による暖房運転の立ち上げ時、室内に吹き出す風量を所定の大風量にするステップと、上記室内に吹き出す風量を所定の大風量にするステップの後、室内温度が所定温度以上になると、床暖房運転中か否かを判別するステップと、上記床暖房運転中か否かを判別するステップで床暖房運転中でないと判別すると、上記室内に吹き出す風量を、空気調和による暖房運転が単独で行われるときの所定の小風量にするステップと、上記床暖房運転中か否かを判別するステップで床暖房運転中であると判別すると、上記室内に吹き出す風量を上記所定の小風量よりもさらに小さくするステップとを有することを特徴としている。
【０００６】
上記請求項１の空気調和機の制御方法によれば、空気調和による暖房運転の立ち上げ時、室内に吹き出す風量を所定の大風量にして室内を暖房する。そして、室内空気が十分に温まり、室内温度が所定温度以上になると、床暖房運転中か否かを判別して、床暖房運転中でないと判別すると、上記室内に吹き出す風量を所定の小風量にする。一方、室内温度が所定温度以上になって、床暖房運転中であると判別すると、上記室内に吹き出す風量を上記所定の小風量よりもさらに小さくする。すなわち、床暖房時は空気調和による暖房は補助の役割をし、室内温度が上がった後は主として床暖房が室内を暖房するので、空気調和による暖房運転が単独で行われる場合に比べて吹き出し風量を小さくしてもよい。したがって、床暖房時に空気調和による暖房を併用しても、吹き出し風により居住者がドラフト感を感じないようにすると共に、室内ファン等による送風音を低減して、床暖房本来の快適性が損なわれることがない。
【０００７】
また、請求項２の空気調和機の制御方法は、請求項１の空気調和機の制御方法において、上記床暖房運転中か否かを判別するステップで床暖房運転中であると判別すると、室内に吹き出す風向を制御するために設けられたフラップによって室内の居住者に直接風が当たらない方向に吹き出しの風向を向けるステップを有することを特徴としている。
【０００８】
上記請求項２の空気調和機の制御方法によれば、上記室内温度が所定温度以上になって、床暖房運転中であると判別すると、上記フラップを制御して室内に吹き出す風が居住者に直接当たらないように吹き出しの風向を向けるので、ドラフト感を感じることがないようにできる。この場合、例えば、室内ユニットの吹出口に設けられた水平フラップにより吹き出しの風向を水平にするか、または、室内ユニットの吹出口に設けられた垂直フラップにより吹き出しの風向を左右方向にのいずれか居住者のいない方向にしてもよい。
【０００９】
また、請求項３の空気調和機の制御方法は、床暖房に空気調和による暖房運転を併用可能な空気調和機の制御方法であって、空気調和による暖房運転の立ち上げ時、室内に吹き出す風量を所定の大風量にするステップと、上記室内に吹き出す風量を所定の大風量にするステップの後、室内温度が所定温度以上になると、上記室内に吹き出す風量を、空気調和による暖房運転が単独で行われるときの所定の小風量にするステップと、上記室内に吹き出す風量を所定の大風量にするステップの後、室内温度が所定温度以上になると、床暖房運転中か否かを判別するステップと、上記床暖房運転中か否かを判別するステップで床暖房運転中であると判別すると、上記室内に吹き出す風量を上記所定の小風量よりもさらに小さくするステップと、上記床暖房運転中か否かを判別するステップで床暖房運転中であると判別すると、室内に吹き出す風向を制御するために設けられたフラップによって室内の居住者に直接当たらない水平方向に吹き出しの風向を向けるステップとを有することを特徴としている。
【００１０】
上記請求項３の空気調和機の制御方法によれば、空気調和による暖房運転の立ち上げ時、室内に吹き出す風量を所定の大風量にして室内を暖房する。そして、室内空気が十分に温まり、室内温度が所定温度以上になると、上記室内に吹き出す風量を所定の小風量にすると共に、床暖房運転中であると判別すると、上記室内に吹き出す風量を上記所定の小風量よりもさらに小さくし、室内に吹き出す風向を制御するために設けられたフラップによって室内の居住者に直接当たらない水平方向に吹き出しの風向を向ける。すなわち、床暖房時は空気調和による暖房は補助の役割をし、室内温度が上がった後は主として床暖房が室内を暖房するので、空気調和による暖房運転が単独で行われる場合に比べて吹き出し風量を小さくして、空気調和による暖房運転を単独で行う場合に比べて吹き出しの風向を居住者に直接当たらない水平方向に向ける。したがって、床暖房時に空気調和による暖房を併用しても、吹き出し風が直接当たらず、居住者がドラフト感を感じないようにでき、床暖房本来の快適性が損なわれることがない。
【００１１】
【発明の実施の形態】
以下、この発明の空気調和機の制御方法を図示の実施の形態により詳細に説明する。
【００１２】
図１はこの発明の実施の一形態の空気調和機の制御方法を用いた温水床暖房機能付きのヒートポンプ式空気調和機の概略構成図であり、１は圧縮機、２は上記圧縮機１の吐出側に一端が接続された四路弁、３は上記四路弁２の他端に一端が接続された室外熱交換器、４Ａは上記室外熱交換器３の他端に一端が接続された膨張手段としての電動膨張弁、５は上記電動膨張弁４Ａの他端に接続された室内熱交換器、６は上記室内熱交換器５の他端に四路弁２を介して一端が接続され、他端が上記圧縮機１４に接続されたアキュムレータである。上記室外熱交換器３の近傍に室外ファン２１を配置すると共に、室内熱交換器５の近傍に室内ファン２２を配置している。
【００１３】
また、上記空気調和機は、上記室外熱交換器３の他端に一端が接続された膨張手段としての電動膨張弁４Ａと、上記電動膨張弁４Ａの他端に冷媒管１１aの一端が接続され、その冷媒管１１aの他端が四路弁２,アキュムレータ６を介して圧縮機１の吸込側に接続された温水熱交換器１１と、上記温水熱交換器１１の温水管１１bの一端が一端に接続された床暖房パネル１２と、上記床暖房パネル１２の他端に一端が接続され、他端が上記温水熱交換器１１の温水管１１bの他端に接続された循環ポンプ１３とを備えている。上記床暖房パネル１２の下流側に床暖房パネル１２から温水熱交換器１１に戻る温水の温度を検出する温度センサ２０を配置している。また、上記空気調和機は、圧縮機１,電動膨張弁４Ａ,４Ｂなどを制御する室外ユニット用制御装置１４と、上記室外ユニット用制御装置１４からの制御信号を受けて、圧縮機１のモータを駆動するインバータ１５とを備えている。さらに、上記空気調和機は、室内温度センサ２３からの室内温度を表す信号と入力装置(リモートコントローラ)１７からの信号とを受けて、室内ファン２２や水平フラップ２４等を制御する室内ユニット用制御装置１６と、温度センサ２０からの温水の温度を表す信号と入力装置(リモートコントローラ)１９からの信号とを受けて、床暖房を制御する床暖房制御装置１８とを備えている。上記室外ユニット用制御装置１４,室内ユニット用制御装置１６および床暖房制御装置１８は、夫々マイクロコンピュータおよび入出力回路等からなり、室内ユニット用制御装置１６と室外ユニット用制御装置１４との間で制御信号を互いに送受信すると共に、床暖房制御装置１８と室外ユニット用制御装置１４との間で制御信号を互いに送受信する。
【００１４】
上記構成の空気調和機において、四路弁２を実線の切換位置に切り換えて、圧縮機１を運転すると、圧縮機１から吐出された冷媒は、室内熱交換器５で凝縮して放熱し、電動膨張弁４Ａで膨張した後、室外熱交換器３で蒸発して室外の熱源から吸熱した後、アキュムレータ６を介して圧縮機１の吸入側に戻り、暖房運転が行われる。一方、上記圧縮機１から吐出された冷媒は、温水熱交換器１１で水と熱交換されて凝縮し、電動膨張弁４Ｂで膨張した後、室外熱交換器３で蒸発した後、アキュムレータ６を介して圧縮機１の吸入側に戻る。このようにして、上記室内熱交換器５により室内を暖房すると共に、温水熱交換器１１で加熱された温水は、循環ポンプ１３により温水熱交換器１１を介して床暖房パネル１２を循環することによって、床暖房パネル１２が暖められる。このとき、上記室内ユニット用制御装置１６は、床暖房制御装置１８から室外ユニット用制御装置１４を介して送られた床暖房中か否かを表す信号を受けて、床暖房中か否かに応じて所定の制御処理を行う。
【００１５】
図２は上記空気調和機の室内ユニット用制御装置１６の制御処理を説明するフローチャートである。
【００１６】
まず、暖房運転がスタートすると、ステップＳ１で室内ファン２２による吹き出し風量を所定の大風量にする。なお、上記所定の大風量とは、通常の空気調和機において、室温と設定温度との差が大きい場合に用いられる風量のことである。
【００１７】
次に、ステップＳ２に進み、床暖房中か否かを判別して、床暖房中であるとき、ステップＳ３に進み、吹き出し風量を所定の小風量よりもさらに下げる(所定の大風量の略１０％)。次に、ステップＳ４に進み、水平フラップ２４を水平にした後、ステップＳ５に進み、通常運転処理を行う。
【００１８】
一方、ステップＳ２で床暖房中でない判別すると、ステップＳ６に進み、吹き出し風量を所定の小風量(所定の大風量の略５０％)に下げ、ステップＳ５に進み、通常運転処理を行う。なお、上記通常運転処理では、空調負荷に応じて、連続運転を行ったり、圧縮機１の発停をしたり、サーモオフやサーモオンを繰り返したりする。
【００１９】
このように、空気調和による暖房運転の立ち上げ時、室内に吹き出す風量を所定の大風量にして室内を暖房し、室内空気が十分に温まって、室内温度が所定温度以上になると、床暖房運転中か否かを判別して、床暖房運転中でないと判別すると、上記室内に吹き出す風量を所定の小風量にする。一方、室内温度が所定温度以上になって、床暖房運転中であると判別すると、上記室内に吹き出す風量を上記所定の小風量よりもさらに小さくする。そうすることによって、床暖房時に空気調和による暖房を併用して熱量の不足分を補うと共に、吹き出し風により居住者がドラフト感を感じないようにし、室内ファン２２の送風音を低減する。したがって、ドラフト感を感じることなく静かな床暖房本来の快適性を得ることができる。
【００２０】
また、上記室内温度が所定温度以上になって、床暖房運転中であると判別すると、上記水平フラップ２４を制御して室内に吹き出す風が居住者に直接当たらない方向に吹き出しの風向を向けるので、居住者がドラフト感をさらに感じないようにできる。
【００２１】
上記実施の形態では、水平フラップ２４を制御して吹き出しの風向を変えたが、吹き出しの風向は水平フラップに限らず、垂直フラップまたは水平フラップ,垂直フラップの両方を制御して、吹き出しの風向を居住者のいない方向に制御してもいよい。この場合、人検知センサを備えた空気調和機では、人検知センサを用いて人のいない方向に吹き出しの風向を向けてもよい。
【００２２】
また、上記実施の形態では、床暖房機能を備えた空気調和機について説明したが、電気式の床暖房装置とその床暖房装置とは別の空気調和機とを用いてもよい。この場合、例えば図3に示すように、入力装置３１からの指令信号に基づいて制御を行う室内ユニット用制御装置３２を備えた空気調和機と、入力装置３３からの指令信号に基づいて制御を行う床暖房制御装置３４を備えた床暖房装置とにおいて、室内ユニット用制御装置３２に対して床暖房制御装置３４から床暖房中か否かを表す信号を赤外線,無線および有線等により送信してもよい。
【００２３】
さらに、上記実施の形態では、室内ファン２２による吹き出し風量と水平フラップ２４による吹き出し風向とを制御したが、吹き出し風量または吹き出し風向のいずれか一方のみを制御してもよい。
【００２４】
【発明の効果】
以上より明らかなように、請求項１の発明の空気調和機の制御方法は、床暖房に空気調和による暖房運転を併用可能な空気調和機の制御方法であって、空気調和による暖房運転の立ち上げ時、室内に吹き出す風量を所定の大風量にして室内を暖房し、室内空気が十分に温まって、室内温度が所定温度以上になると、床暖房運転中か否かを判別して、床暖房運転中でないと判別すると、上記室内に吹き出す風量を所定の小風量にする一方、室内温度が所定温度以上になって、床暖房運転中であると判別すると、上記室内に吹き出す風量を、空気調和による暖房運転が単独で行われるときの上記所定の小風量よりもさらに小さくするものである。
【００２５】
したがって、請求項１の発明の空気調和機の制御方法によれば、床暖房時に空気調和による暖房を併用しても、吹き出し風により居住者がドラフト感を感じないようにすると共に、送風音を低減して、床暖房本来の快適性が損なわれることがない。
【００２６】
また、請求項２の発明の空気調和機の制御方法は、請求項１の空気調和機の制御方法において、室内温度が所定温度以上になって床暖房運転中であると判別すると、室内に吹き出す風向を制御するために設けられたフラップによって室内の居住者に直接風が当たらない方向に吹き出しの風向を向けるので、上記フラップを制御して室内に吹き出す風が居住者に直接当たらないように吹き出しの風向を向けるので、ドラフト感を感じることがないようにできる。
【００２７】
また、請求項３の発明の空気調和機の制御方法は、床暖房に空気調和による暖房運転を併用可能な空気調和機の制御方法であって、空気調和による暖房運転の立ち上げ時、室内に吹き出す風量を所定の大風量にして室内を暖房し、室内空気が十分に温まって、室内温度が所定温度以上になると、上記室内に吹き出す風量を、空気調和による暖房運転が単独で行われるときの所定の小風量にすると共に、床暖房運転中であると判別すると、室内に吹き出す風量を上記所定の小風量よりもさらに小さくし、室内に吹き出す風向を制御するために設けられたフラップによって室内の居住者に直接当たらない水平方向に吹き出しの風向を向けるものである。
【００２８】
したがって、請求項３の発明の空気調和機の制御方法によれば、床暖房時に空気調和による暖房を併用しても、吹き出し風が直接当たらず、居住者がドラフト感を感じないようにでき、床暖房本来の快適性が損なわれることがない。
【図面の簡単な説明】
【図１】図１はこの発明の実施の一形態の空気調和機の制御方法を用いた空気調和機の概略構成図である。
【図２】図２は上記空気調和機の室内ユニット制御装置の制御処理を説明するフローチャートである。
【図３】図３はこの発明の他の実施の形態の空気調和機の制御方法を用いた空気調和機の概略ブロック図である。
【符号の説明】
１…圧縮機、２…四路弁、
３…室外熱交換器、４Ａ,４Ｂ…電動膨張弁、
５…室内熱交換器、６…アキュムレータ、
１１…温水熱交換器、１２…床暖房パネル、
１３…循環ポンプ、１４…室外ユニット用制御装置、
１５…インバータ、１６…室内ユニット用制御装置、
１７,１９…入力装置、１８…床暖房制御装置、
２０…温度センサ、２１…室外ファン、
２２…室内ファン、２３…室内温度センサ、
２４…水平フラップ。
【図１】
0003575288.tif 000002
【図２】
0003575288.tif 000003
【図３】
0003575288.tif 000004